(57)【要約】【課題】電子アルバム作成において、写真等の読取り物の任意の範囲を読み取ることができ、また写真等の画像を高解像度で得るようにする。【解決手段】液晶表示部１４の画面上に移動マーカーＭ１，Ｍ２を表示し、これによって写真等の画像Ｉｂの中の選択範囲Ｑを指定できるようにすると共に、この選択範囲ＱがＣＣＤの読取り領域で最大の大きさを占める状態となる拡大倍率に、光学的ズームを機能させ、この拡大された画像をＣＣＤにより読み取る。これにより、常に高解像度の写真Ｐｂ等の画像を読み取るようにする。このようにして読み取られた写真Ｐｂ等の素材画像Ｉｂは、保存されると共に液晶表示部１４へ表示されることになり、この液晶表示部１４を見ながら、操作部１２の操作で各種の素材画像を任意の位置に配置してアルバム画像を作成する。【選択図】図１
2006215833.tif 000002
【特許請求の範囲】
【請求項１】
写真及び各種カードを含む読取り物を載せる写真台と、
この写真台に載せた読取り物を電子的に素材画像として読み取る撮像素子及び光学的ズーム倍率を設定できる対物光学系を備えた画像読取り部と、
この画像読取り部にて得られた素材画像を表示すると共に、この素材画像の組合せからなるアルバム画像を表示する表示部と、
この表示部に画像の読取り選択範囲を指定するための移動マーカーを表示するマーカー表示処理回路と、
上記移動マーカーの移動操作を含む画像読取り操作及び上記表示部に表示された素材画像をアルバム画像として編集する操作をするための操作部と、
上記移動マーカーにて指定された読取り選択範囲を高い解像度で読み取るための光学的ズーム倍率に設定して上記読取り物の読取り制御を実行すると共に、上記表示部上の画像を見ながらアルバム画像の編集制御を実行する制御部と、を含んでなる電子アルバム作成装置。
【請求項２】
上記マーカー表示処理回路は、上記移動マーカーと共に、この移動マーカーで決定される読取り選択範囲を最大解像度で読み取る場合の上記撮像素子の読取り領域を示すエリアマーカーを上記表示器に表示することを特徴とする請求項１記載の電子アルバム作成装置。
【請求項３】
上記写真台に置かれた読取り物を通常の状態で上記画像読取り部にて読み取ると共に、この読取り物を上記撮像素子の半画素分をずらした状態で上記画像読取り部にて読み取るための移動機構を設け、この半画素移動機構によって半画素分をずらして読み取った２つの画像情報を合成処理し、読取り画像の解像度を高めるようにしたことを特徴とする請求項１又は２記載の電子アルバム作成装置。
【発明の詳細な説明】
【技術分野】
【０００１】
本発明は電子アルバム作成装置、特に写真や手書きカード等の読取り物の画像を常に高解像度で読み取り、これらの写真やカードの画像情報に基づいて電子アルバムを自由に編集・作成する新しい装置の構成に関する。
【背景技術】
【０００２】
従来から、各種の場面で撮影した写真を紙の台紙に貼り付けたアルバムが存在するが、近年では、パソコン（パーソナルコンピュータ）やデジタルカメラ、スキャナ等のＩＴ装置の普及に伴い、パソコンにデジタル写真を電子的に格納し、専用のソフト等で電子アルバムを作成することが行われている。このような電子アルバムによれば、後に、旅行や行事等の思い出が表現された画像を画質劣化のない状態で観賞して楽しむことができる。
【特許文献１】特許第３１２２９００号公報
【特許文献２】特開２００４-２０１０５１号公報
【発明の開示】
【発明が解決しようとする課題】
【０００３】
しかしながら、パソコン、スキャナ等のＩＴ装置で電子アルバムを作成する場合は、このパソコン等のＩＴ装置や専用のアルバム作成ソフトの知識の習得が必要となり、これらの知識の習得に時間がかかり面倒である場合が多く、またパソコンの取扱いが苦手である場合は、電子的なアルバムの作成に興味を持つことができない。
【０００４】
そこで、本願では、写真やカード等の画像を読取り部（装置）で読み取り、これらの読取り画像から簡単に電子アルバムを作成する新しい装置を提案するものであるが、この電子アルバム作成に使用する素材画像が常に基になる写真等の全体であるとは限らず、その一部であることも多く、また写真等の周縁部の不必要な部分をカットしたい場合もある。従って、写真等を読み取る段階で必要な部分の画像を任意に読み取ることができれば、アルバム作成が簡単になる。
【０００５】
また、写真やカード（読取り物）を撮像素子によって読み取る場合は、写真のサイズが数種類存在すること、また写真とカードの大きさが異なることから、読み取った画像の解像度が相違するという問題がある。特に、写真の解像度は撮像素子の解像度よりも高く、撮像素子で写真を読み取る際にはできる限り解像度を低下させないようにすることが好ましい。
【０００６】
本発明は上記問題点に鑑みてなされたものであり、その目的は、パソコンの取扱いが苦手な場合又はパソコン等の知識を習得する時間がない場合でも、電子アルバムを簡単かつ短時間に作成することが可能となり、この電子アルバム作成においては、写真等の読取り物の任意の範囲を読み取ることができ、また写真等の画像を高解像度で得ることが可能となる電子アルバム作成装置を提供することにある。
【課題を解決するための手段】
【０００７】
上記目的を達成するために、請求項１の発明に係る電子アルバム作成装置は、写真及び各種カード（タイトルカード、手書きカード等）を含む読取り物を載せる写真台と、この写真台に載せた読取り物を電子的に素材画像として読み取る撮像素子（例えばＣＣＤ）及び光学的ズーム倍率を設定できる対物光学系を備えた画像読取り部と、この画像読取り部にて得られた素材画像を表示すると共に、この素材画像の組合せからなるアルバム画像を表示する表示部と、この表示部に画像の読取り選択範囲を指定するための移動マーカーを表示するマーカー表示処理回路と、マーカーの移動操作を含む画像読取り操作及び上記表示部に表示された素材画像をアルバム画像として編集する操作をするための操作部と、上記移動マーカーにて指定された読取り選択範囲を高い解像度で読み取るための光学的ズーム倍率に設定して上記読取り物の読取り制御を実行すると共に、上記表示部上の画像を見ながらアルバム画像の編集制御を実行する制御部と、を含んでなることを特徴とする。
【０００８】
請求項２に係る発明は、上記マーカー表示処理回路では、上記移動マーカーと共に、この移動マーカーで決定される読取り選択範囲を最大解像度で読み取る場合の上記撮像素子の読取り領域（撮像領域）を示すエリアマーカーを上記表示器に表示することを特徴とする。
請求項３に係る発明は、上記写真台に置かれた読取り物を通常の状態で上記画像読取り部にて読み取ると共に、この読取り物を上記撮像素子の半画素分を（水平方向又は及び垂直方向へ）ずらした状態で上記画像読取り部にて読み取るための移動機構（写真台移動機構又は読取り部移動機構）を設け、この半画素移動機構によって半画素分をずらして読み取った２つの画像情報を合成処理し、読取り画像の解像度を高めるようにしたことを特徴とする。
【０００９】
上記の構成によれば、写真台に置かれた読取り物である例えば写真が撮像素子によって読み取られると、その写真画像が表示部に表示されるが、このとき、表示部には例えば縦線と横線が交わる交差点（＋）状或いは交差線状の移動マーカーが四角形の対角方向の２ヶ所の位置（角部）に表示される。そして、この２つの移動マーカーを表示部の画像上で移動させて読取り選択範囲を任意に指定すると、この読取り選択範囲が撮像素子の読取り領域で例えば最大の大きさ（最高解像度）となるように、ズームレンズによって読取り倍率が設定され、この結果、光学的に拡大された写真等の任意に選択された範囲の画像が読み取られる。
【００１０】
また、上記移動マーカーを表示部に表示させる際に、２つの移動マーカーで決定される四角形範囲が撮像素子読取り領域で最大（最高解像度）となる状態のその撮像素子読取り領域が例えば四角形のエリアマーカーで表示される。このエリアマーカーによれば、指定した読取り選択領域の撮像素子領域での配置状態が判断でき、写真等を置く位置の修正等が可能となる。このようにして読み取られた写真、カード（タイトルカード、手書きカード等）の画像は、素材画像として内部の記憶部へ格納される。
【００１１】
そして、上記表示部には、アルバム編集の際に、読取り部で読み取られた写真、カードの素材画像を表示する素材画面（画面領域）とアルバム画像を表示するアルバム画面（画面領域）が設定されており、この素材画面の中から選択した素材画像を、１頁毎のアルバム画面内に任意な配置で貼り付けることにより、アルバム画像が作成され、保存される。そして、この保存されたアルバム画像は、タイトルカードの認識等によって閲覧することが可能となる。
【００１２】
更に、請求項３の構成によれば、写真台移動機構によって写真等の読取り物を例えば水平方向及び垂直方向に半画素ずつずらして読み取り、この半画素分がずれた２つの画像を合成処理することにより、読取り画像の解像度を４倍に高めることができる。
【発明の効果】
【００１３】
本発明の電子アルバム作成装置によれば、パソコンの取扱いが苦手な場合又はパソコン等の知識を習得する時間がない場合でも、電子アルバムを簡単かつ短時間に作成することが可能になり、このような電子アルバム作成においては、移動マーカーによって指定した写真等の任意の選択範囲を読み取ることができ、また光学的ズーム機能によって指定された読取り選択範囲を拡大することにより写真等の画像を高解像度で得ることが可能になるという利点がある。更に、半画素分ずらして読み取った画像を合成処理することによっても、解像度を高めることができ、この手法は、特に光学的拡大ができない状況又は拡大率が小さくなる読取り選択範囲を選択した状況において有効となる。
【発明を実施するための最良の形態】
【００１４】
図１乃至図４には、第１実施例に係る電子アルバム作成装置の構成が示されており、図２に示されるように、この装置は、タイトルカードＰａ、写真Ｐｂ及び手書きカードＰｃを載せるために平面台とされた写真台（本体水平部）１１、この写真台１１の手前側及び奥側（図の下側及び上側）に設けられた操作部１２、写真Ｐｂ等の画像を読み取る読取り部（画像読取り部）１３、液晶ディスプレイからなる液晶表示部１４及び照明部１５を備えている。上記読取り部１３は、図２（Ｂ）のように、ズームレンズ１３ａ、このズームレンズ１３ａを光軸方向へ移動させるズーム機構部１３ｂ及び固体撮像素子であるＣＣＤ１３ｃ（エリアセンサ方式、ラインセンサ方式のいずれでもよい)から構成される。なお、実施例の読取り部１３は、写真Ｐｂ等を斜めから読み取っているが、この読取り部１３を写真台１１の真上に配置し、写真Ｐｂ等を真上から読み取ることもできる。
【００１５】
上記写真台１１手前側の操作部１２は、図２（Ａ）のように、上下左右移動キー１２ａ、入力キー１２ｂ、終了キー１２ｃ、剥しキー１２ｄ、貼付けキー１２ｅを有しており、これらのキー１２ａ〜１２ｅによって編集のための操作が行われる。また、奥側の操作部１２には、液晶表示部１４に移動マーカーを表示させる読取り範囲選択釦１２ｍが設けられる。そして、図３に示されるように、上記ＣＣＤ１３ｃを駆動して画像の読取り処理を行うと共に、移動マーカーで指定した範囲の画像を抽出するための読取り処理回路１３ｄと、上記操作部１２の操作に基づく画像読取り及び編集のための動作制御や液晶表示部１４での表示制御を実行するための制御部（マイコン等）１８が設けられ、また上記読取り部１３で読み取られたタイトルカードＰａに付されているバーコードＢを検出するためのバーコード検出部１９が設けられる。
【００１６】
即ち、実施例では、アルバム画像にタイトルを付けかつアルバム画像の管理情報として利用するために、図２（Ａ）のように、上部に記載欄（白紙欄）を設けかつ下部等にバーコードＢ（２次元コード等の他の光学的識別コードでもよい）を付けたタイトルカードＰａを用いており、このバーコードＢは、タイトルカードＰａであることの情報を含む各カードの個別情報（識別情報）として利用され、上部の記載欄には手書き等で任意のタイトルを書き込むようになっている。従って、上記バーコードＢがバーコード検出部１９で検出されると、このカードがタイトルカードＰａであることが認識され、このカードＰａに記載されたタイトル画像Ｉａ［図４（Ａ）］が自動的に読み取られると共に、そのタイトルカード個別情報が一連のアルバム画像と関連付けられて保存され、個々のアルバム画像を識別し抽出するための管理情報として用いられる。実施例では、タイトルフォルダが作成され、このフォルダ内に素材画像等が格納される。なお、上記バーコードＢ等の光学的識別コードの代わりに、ＩＣタグ（ＩＣチップ）等の電気的識別素子を用いるようにしてもよい。
【００１７】
また、図３に示されるように、当該装置には、写真Ｐｂ、手書きカードＰｃの素材画像Ｉｂ，Ｉｃ等やアルバム画像を記憶する内部の記憶媒体としてのハードディスク２０ｈを有し、タイトル画像Ｉａ、素材画像Ｉｂ，Ｉｃを頁単位で任意に貼り付けたアルバム画像を形成するための画像処理部２０と、読取り選択範囲を指定するための移動マーカー及びＣＣＤ１３ｃの読取り領域を示すエリアマーカーを表示するためのマーカー表示処理回路２１が配置される。即ち、図１（Ａ）に示されるように、実施例では、例えば縦（水平）線と横（垂直）線が交わる交差点（＋）状或いは交差線状のマーカーで、互いを異なる色或いは異なる線で区別できる２つ移動マーカーＭ１（一点鎖線で示した例えば黄色の交差線），Ｍ２（実線で示した例えば緑色の交差線）が形成・表示されており、この移動マーカーＭ１とＭ２の交点は、範囲指定する四角形の対角方向の２点の位置として設けられる。この移動マーカーＭ１とＭ２によれば、それぞれの線で囲まれた四角形範囲Ｑ（図１の斜線部）が指定された読取り選択範囲となる。なお、この移動マーカーＭ１とＭ２の縦及び横の線は、指定された選択範囲Ｑの線だけを表示するようにしてもよいし、交差点のみ又はその近傍の表示としてもよい。
【００１８】
そして、図１（Ａ）等に示されるように上記移動マーカーＭ１，Ｍ２の位置で指定される現在の選択範囲ＱがＣＣＤ１３ｃの読取り領域で最大の大きさとなるときのＣＣＤ１３ｃの読取り領域を示す枠状のエリアマーカーｋが形成され表示される。即ち、図１（Ａ）の液晶表示部１４の表示領域（外枠の位置）は、ＣＣＤ１３ｃの読取り領域（全体）に対応するものであり、図の中心位置Ｃ０は、ＣＣＤ１３ｃの読取り（撮像）領域の中心でもある。従って、図１（Ａ）の外枠位置から中心位置Ｃ０へ向けて相似形［縦横比（ｖ／ｈ）一定］で縮小すると（実際には光学的ズーム機構によって倍率を高くすると）、エリアマーカーｋで囲まれる領域が選択範囲Ｑを最大の大きさで捉えるＣＣＤ１３ｃの読取り領域となる。
【００１９】
このエリアマーカーｋの表示位置及び大きさは、上記制御部１８で演算されており、エリアマーカーｋの枠位置に接触する選択範囲Ｑのｘ軸又はｙ軸の値が把握できれば容易に求められる。即ち、移動マーカーＭ１，Ｍ２のそれぞれの位置（交点位置）と中心位置Ｃ０との比較により、中心位置Ｃ０から遠い方の移動マーカーＭ１，Ｍ２を把握し、そのマーカーのｘ軸位置又はｙ軸位置のいずれが読取り領域の外枠位置に接触する否かを判断することにより、エリアマーカーｋの位置と大きさが求められる。例えば、図１（Ａ），（Ｂ）の場合は、移動マーカーＭ２［座標（ｘｂ，ｙｂ）］が中心位置Ｃ０［座標（ｘ０，ｙ０）］から遠いので、（ｙｂ−ｙ０）／（ｘｂ−ｘ０）の絶対値がｖ（縦）／ｈ（横）よりも大きいか否かを判定し、この場合は、大きくなるので、ｙ軸の座標位置ｙｂで最終的なエリアマーカーｋの位置及び大きさが決定される。また、図１（Ｄ）の場合は、移動マーカーＭ１［座標（ｘａ，ｙａ）］が中心位置Ｃ０［座標（ｘ０，ｙ０）］から遠く、（ｙａ−ｙ０）／（ｘａ−ｘ０）の絶対値がｖ／ｈよりも小さくなるので、ｘ軸の座標位置ｘａで最終的なエリアマーカーｋの位置及び大きさが決定される。
【００２０】
更に、上記制御部１８は、図１（Ｂ）のように、上記移動マーカーＭ１，Ｍ２で選択範囲Ｑが指定されると、その選択範囲ＱがＣＣＤ１３ｃの読取り領域の最大域を占めるようにズームレンズ１３ａの倍率を設定する。即ち、図１（Ｃ）で示されるように、上述したエリアマーカーｋの領域が液晶表示部１４の表示領域一杯となる拡大状態まで、ズーム機構部１３ｂを介してズームレンズ１３ａが駆動される。これによって、読取り物を最大の解像度で読み取ることが可能となる。また、この制御部１８では、図１（Ｃ）のように、上記移動マーカーＭ１，Ｍ２の位置（座標）又はその選択範囲Ｑを、拡大読取り時のＮ１，Ｎ２の位置（座標）又は選択範囲Ｑ´に変換し、この範囲Ｑ´の画像を読取り処理回路１３ｄで切り取り抽出することにより、移動マーカーＭ１，Ｍ２で指定した範囲の最終的な画像を得ることができる。
【００２１】
図４（Ａ）に示されるように、上記液晶表示部１４には、小さなメニュー画面（画面領域）１４Ａ、素材画面（画面領域）１４Ｂ及びアルバム画面（画面領域）１４Ｃが設けられる。即ち、上記メニュー画面１４Ａには、図４（Ｂ）の拡大図に示されるように、例えば画像読取りを行うための“画像読取”、アルバム画像編集を行うための“アルバム編集”、編集したアルバム画像をＤＶＤ等の記録メディア（記録媒体）へ保存するための“ＤＶＤ（ここではＤＶＤのみを示す）への保存”、ＤＶＤ（記録メディア）に格納されている画像素材の読出しを行うための“ＤＶＤ読出”、ＤＶＤ（記録メディア）に格納されているアルバム画像を読み出して上記ハードディスク２０ｈへ保存するための“ＤＶＤから保存”、電子アルバムの閲覧をするための“アルバム閲覧”等のメニューが表示されており、これらの各メニューはそのいずれかを選択することができる。なお、このメニュー画面１４Ａに、上記読取り範囲選択釦１２ｍの代わりになる、移動マーカーを表示させるための読取り範囲選択キーの表示をしてもよい。
【００２２】
また、上記メニューの“アルバム編集”を選択したときは、図４（Ａ）に示されるように、液晶表示部１４の右側に、読み込んだ写真Ｐｂの画像Ｉｂや手書きカードＰｃの画像Ｉｃを表示する素材画面１４Ｂが表示され、その左側に、編集完成すべきアルバム画像を表示するアルバム画面１４Ｃが表示される。このアルバム画面１４Ｃは、電子アルバムの１頁の領域を表示しており、この画面１４Ｃで設定されたレイアウトでアルバム画像が頁毎に保存される。
【００２３】
更に、実施例では、図２（Ｃ）に示されるように、写真台（本体水平部）１１の前面側に、ＤＶＤ駆動部（読出し／書込み部）２３ａ、その他の記録メディア（メモリ）のメディア駆動部２３ｂが配置される。
【００２４】
第１実施例は以上の構成からなり、図５を参照しながらその作用を説明する。まず、図４（Ｂ）に示されるメニューの“画像読取”を選択し（図５のステップ101）、図２（Ａ）の写真台１１にタイトルカードＰａを置いて入力キー１２ｂを押すことにより（ステップ102）、読取り部１３によるタイトル画像Ｉａの読取りが行われる（ステップ103）。同時に、タイトルカードＰａに付されているバーコードＢが読み取られ、これをバーコード検出部１９で検出することにより、タイトルカード個別情報が特定され、このタイトルカード個別情報に基づいてタイトルフォルダがハードディスク２０ｈに作成される（ステップ104）。このタイトルフォルダ内に、タイトル画像を含む素材画像が保存される。
【００２５】
次に、図２（Ａ）に示されるように、写真台１１に写真Ｐｂを置くと（ステップ105）、この画像Ｉｂが液晶表示部１４の画面に表示される。このとき、読取り範囲選択釦１２ｍ（又は画面上の読取り範囲選択キー）を押すと（ステップ106）、図１（Ｂ）に示されるように、液晶表示部１４の画面上に移動マーカーＭ１，Ｍ２が表示される（ステップ107）。ここで、画面を見ながら、移動マーカーＭ１を上下左右キー１２ａで動かして選択範囲Ｑの左上位置を指定すると共に、移動マーカーＭ２を上下左右キー１２ａで動かして選択範囲Ｑの右下位置を指定し、入力キー１２ｂ等を押せば、選択範囲Ｑが確定することになる（ステップ108）。また、この移動マーカーＭ１，Ｍ２の表示においては、図１（Ｂ）に示されるように、同時に移動マーカーＭ１，Ｍ２で指定した選択範囲Ｑに対応したエリアマーカーｋが表示され、このエリアマーカーｋによって選択範囲ＱのＣＣＤ１３ｃの読取り領域での配置状態が分かる。従って、この配置状態から、写真Ｐｂの位置を直したり、或いは読取り部１３がパン、チルト方向に可動するように構成されている場合は、読取り部１３を動かしたりして、画像読取り操作をやり直すことも可能になる。
【００２６】
そして、選択範囲Ｑが確定すると、次のステップ109では、ズーム機構部１３ｂによってズームレンズ１３ａが拡大方向へ移動し、図1（Ｃ）に示されるように、指定した選択範囲ＱがＣＣＤ１３ｃの読取り領域で最大の大きさとなる状態に設定され（ＣＣＤ１３ｃの画素が最も有効に利用できる倍率に設定され）、その後に画像の読取りが行われる（ステップ110）。この画像読取りでは、移動マーカーＭ１，Ｍ２の位置又はその選択範囲Ｑが、再度の拡大読取り時の図1（Ｃ）の位置Ｎ１，Ｎ２又は選択範囲Ｑ´に変換されることにより、この範囲Ｑ´の画像が抽出され、この範囲Ｑ´の画像が最終的な読取り画像としてハードディスク２０ｈに格納される。このような写真Ｐｂの読取りは、複数枚につき繰り返し行われ、更には手書きカードＰｃの読取り（ステップ111）が行われた後、終了キー１２ｃを押すことにより画像読取りは終了し、初期画面に戻ることになる（ステップ112）。
【００２７】
次に、図４（Ｂ）のメニューから“アルバム編集”を選択すると、図４（Ａ）に示される素材画面１４Ｂに、読み取った素材画像Ｉｂ，Ｉｃが表示され、この状態でアルバム画面１４Ｃへの編集が可能となる。即ち、アルバム画面１４Ｃには、既に上記ステップ103で読み取ったタイトル画像Ｉａの“タイトル”が表示されており、素材画面１４Ｂから写真Ｐｂの画像Ｉｂや手書きカードＰｃの“手書き”画像Ｉｃを上下左右移動キー１２ａで選択し、貼付けキー１２ｅを押すと、それらの画像が順にアルバム画面１４Ｃ内へ表示される。このとき、剥しキー１２ｄを使えば、一旦貼り付けた画像をアルバム画面１４Ｃ内から剥がす（取り除く）ことができる。その後、操作部１２の終了キー１２ｃを押すと、上記素材画像（Ｉｂ，Ｉｃ）を貼り付けたアルバム画像がハードディスク２０ｈのタイトルフォルダ内へ格納される。
【００２８】
また、図４（Ｂ）のメニューから“ＤＶＤ読出”を選択した場合は、上述したＤＶＤ駆動部２３ａに挿入したＤＶＤから読み取った画像を素材画像として利用することができ（なお、メディア駆動部２３ｂの場合は、例えば“画像読取”メニューから入って画像情報を読み取る）、メニューの“ＤＶＤへ保存”を選択すれば、完成したアルバム画像をＤＶＤへ保存することができ、メニューの“ＤＶＤから保存”を選択すれば、別の装置等で完成したアルバム画像を当該装置のハードディスク２０ｈへ保存することができる。
【００２９】
更に、当該装置では、図４（Ｂ）のメニューの“アルバム閲覧”を選択することにより、保存されているアルバム画像を液晶表示部１４にて閲覧することができる。即ち、アルバム閲覧を選択した後、上記のタイトルカードを写真台１１に載せ、入力キー１２ｂを押すと、タイトルカードＰｂのバーコードＢが読み取られることによって、該当するアルバム画像がハードディスク２０ｈから読み出され、このアルバム画像が液晶表示部１４へ表示される。そして、操作部１２等によって頁めくり操作をすれば、アルバム画像が順に表示される。
【００３０】
上記第１実施例では、読取り部１３を固定状態で用いたが、ズームレンズ１３ａを含む対物光学系及びＣＣＤ１３ｃを一体的に構成して可動部を設け、パン、チルト方向等に動くようにすることが可能である。この場合は、選択範囲ＱをＣＣＤ１３ｃの読取り領域の中心に配置することができるので、更に高解像度の画像が得られることになる。
また、第１実施例では、移動マーカーＭ１，Ｍ２を上下左右移動キー１２ａで移動させるようにしたが、この移動マーカーＭ１，Ｍ２の移動及び選択範囲Ｑの設定は、タッチパネルや座標指定等で行うようにしてもよい。
【００３１】
図６及び図７には、半画素分をずらした画像の読取りを行う第２実施例の構成が示されており、この第２実施例では、本体水平部１０に対し写真台１１Ｇが移動可能に取り付けられる。例えば、本体水平部１０にピン２６が設けられ、写真台１１Ｇには長溝形状の案内溝２７が斜め方向に設けられており、この案内溝２７をピン２６に係合することにより、写真台１１Ｇが例えば４５度の斜め方向へ移動できるようになる。また、写真台１１Ｇの左下側の切込み部２８に接触するように、偏心カム３０が設けられており、この偏心カム３０を軸３０ｚ中心に右回転させることによって、写真台１１Ｇを４５度の斜め方向へ、即ち縦方向と横方向の両方に半画素分ずらすことができる。
【００３２】
このような第２実施例によれば、図７の拡大図に示されるように、写真台１１Ｇ及び偏心カム３０が２点鎖線の通常位置にあるとき、写真Ｐｂの一度目の読取りが行われ、この状態から偏心カム３０を軸３０ｚを中心にして右回転させ、写真台１１Ｇを実線の半画素ずらし位置に移動させた状態で、同一の写真Ｐｂの二度目の読取りが行われる。そして、上記画像処理部２０等にて、これらの画像を加算合成することにより、４倍の解像度を持った写真画像Ｉｂを得ることができる。即ち、図７に示されるように、通常位置の画素Ｐ１の１／４に対し、半画素ずらし位置の画素Ｐ２の１／４が加算される結果、４倍の解像度が得られる。なお、上記写真台１１Ｇを横（水平）方向又は縦（垂直）方向のいずれかに半画素ずらすように構成することもできるが、この場合は２倍の解像度が得られる。
【００３３】
このような第２実施例は、全ての状況において実施してもよいが、上記の選択範囲Ｑの選択・指定状況によって高い解像度が得られない場合、或いは写真Ｐｂ自体の解像度が低い場合等に限って適宜実施するようにしてもよい。また、第２実施例では、写真台移動機構を用いたが、半画素ずらす移動機構として、ズームレンズ１３ａ、ズーム機構部１３ｂ及びＣＣＤ１３ｃを一体として移動させる読取り部移動機構を用いてもよい。
【図面の簡単な説明】
【００３４】
【図１】本発明の第１実施例装置における液晶表示部の表示状態を示し、図（Ａ）は移動マーカーとエリアマーカーを説明する図、図（Ｂ）は読取り物の読取り選択範囲を移動マーカーで指定したときの図、図（Ｃ）は読取り選択範囲を光学的に拡大して読み取ったときの図、図（Ｄ）は読取り物の異なる読取り選択範囲を指定したときの図である。
【図２】第１実施例に係る電子アルバム作成装置の構成を示し、図（Ａ）は上面図、図（Ｂ）は内部を示した側面図、図（Ｃ）は写真台の正面図である。
【図３】実施例装置の回路部を含む全体構成を示すブロック図である。
【図４】実施例装置の液晶表示部で設定されるメニュー画面、素材画面及びアルバム画面の構成を示す図［図（Ａ）］、並びにメニュー画面の拡大図［図（Ｂ）］である。
【図５】第１実施例の主な動作を示すフローチャートである。
【図６】第２実施例の構成を示す写真台の上面図である。
【図７】第２実施例の写真台及び偏心カムの動作状態を示す拡大図である。
【符号の説明】
【００３５】
１１，１１Ｇ…写真台、      １２…操作部、
１２ｍ…読取り範囲選択釦、  １３…読取り部、
１３ａ…ズームレンズ、      １３ｂ…ズーム機構部、
１３ｃ…ＣＣＤ、            １３ｄ…読取り処理部、
１４…液晶表示部、          １８…制御部、
２０…画像処理部、          ２０ｈ…ハードディスク、
２１…マーカー表示処理回路、３０…偏心カム、
Ｐｂ…写真。
【図２】
2006215833.tif 000003
【図３】
2006215833.tif 000004
【図５】
2006215833.tif 000005
【図６】
2006215833.tif 000006
【図７】
2006215833.tif 000007
【図１】
2006215833.tif 000008
【図４】
2006215833.tif 000009